(57)【特許請求の範囲】
【請求項１】
光の点滅走行動作により人を所望の方向へ誘導するために各通路に配置された誘導装置部と、装置全体の制御を行う主制御部と、主制御部に接続されて設定入力を行うための設定部とから構成される照明誘導装置であって、誘導路の分岐点内においては、通路方向に沿った誘導装置の配置間隔を一般通路部での配置間隔よりも狭くし、且つ、分岐点に向かって段階的又は連続的に誘導装置の配置間隔を狭くしたことを特徴とする照明誘導装置。
【請求項２】
分岐点内における誘導装置の配置を各通路方向に沿って少なくとも３個以上設置したことを特徴とする請求項１記載の照明誘導装置。
【請求項３】
点滅走行パターンがｍ点ｎ滅の場合には、分岐点内における誘導装置の配置を各通路方向に沿って少なくとも（ｍ＋ｎ）個以上設置したことを特徴とする請求項１記載の照明誘導装置。
【請求項４】
配置される誘導装置を通路に２次元的に配置して分岐点に向かって配置の密度を高くしたことを特徴とする請求項１記載の照明誘導装置。
【請求項５】
配置される誘導装置を通路に３次元的に配置して分岐点に向かって配置の密度を高くしたことを特徴とする請求項１記載の照明誘導装置。
【発明の詳細な説明】
【０００１】
【産業上の利用分野】
本発明は、地下街や建物、ターミナルなどの大規模施設における通路床面や側壁面、天井面、あるいはその空間内に設置された誘導用ランプを点滅走行させて、人をある目的方向へ誘導する照明誘導装置に関するものである。
【０００２】
【従来の技術】
従来、通路床面や側壁面、天井面などに、その通路直線方向に沿って誘導用ランプを設置して、制御部から点滅制御することにより、その誘導用ランプを誘導方向へ点滅走行動作させて、人を積極的に誘導する照明誘導装置がある。この照明誘導装置において、通路の交差点における誘導用ランプの配置には、図１０〜図１２に示すように、３つの形態がある。図中、直線は誘導路Ｕの交差点の部分を示しており、白丸は誘導ランプＬを示している。
【０００３】
まず、図１０は直線通路上に誘導ランプをある一定間隔ａで通路方向に一直線配置して、交差点内においても誘導ランプをこの間隔ａで配置したものである。図１１では、図１０の場合において、交差点の中心部分に誘導ランプを設置していないものである。また、図１２では、ｎ個の誘導ランプをある一定間隔ａで配置したものを一つの誘導ランプグループにして、このグループをある一定間隔ｂ（ｂ＞ａ）で通路上に配置して、交差点内では、この誘導ランプのグループが交差点の交点を中心にして交わるように設置したものである。
【０００４】
これらの誘導ランプの配置で、その誘導ランプを点滅走行させた場合、一応誘導機能を果たすことができるが、交差点内においては、その通路幅が狭い場合や、また、誘導ランプの配置間隔ａが極端に大きい場合、さらに、その誘導ランプの点滅走行速度が極端に速い場合や、特殊な点滅走行パターンである場合には、その交差点において、どちらの方向へ誘導しているのかを誘導される人が認識する場合に困難であることが多いという問題があった。
【０００５】
【発明が解決しようとする課題】
本発明は上述のような点に鑑みてなされたものであり、その目的とするところは、光の点滅走行を利用した照明誘導装置において、十字路やＴ字路などのように、誘導路の合流や分流する箇所における誘導方向の視認性向上を実現することにある。
【０００６】
【課題を解決するための手段】
本発明にあっては、上記の課題を解決するために、図５に示すように、光の点滅走行動作により人を所望の方向へ誘導するために各通路に配置された誘導装置部１と、装置全体の制御を行う主制御部２と、主制御部に接続されて設定入力を行うための設定部３とから構成される照明誘導装置であって、図６に示すように、誘導路Ｕの分岐点内（点線の内部）においては、通路方向に沿った誘導装置（ランプＬ）の配置間隔を一般通路部での配置間隔よりも狭くし、且つ、図１〜図４に示すように、分岐点に向かって段階的又は連続的に誘導装置の配置間隔を狭くしたことを特徴とするものである。
【０００７】
【作用】
本発明によれば、誘導路の分岐点内において、その通路幅が狭い場合や、また、一般通路部での誘導ランプの配置間隔が極端に大きい場合、さらに、その誘導ランプの点滅走行速度が極端に速い場合や、特殊な点滅走行パターンである場合においても、その分岐点において、どちらの方向へ誘導しているのかを誘導される人が認識することができる。また、分岐点に向かって段階的又は連続的に配置間隔を狭くしたので、誘導されている人に一般通路部から分岐点に入ることを段階的又は連続的に知らせることができ、光の点滅走行を利用した照明誘導装置において、十字路やＴ字路などのように、誘導路の合流や分流する箇所における誘導方向の視認性を向上させることができる。
【０００８】
【実施例】
図７は本発明の前提となる構成１の説明図である。図中、直線は誘導路Ｕの交差点の部分を示しており、白丸は誘導ランプＬを示している。この図７に示すように、各通路に、その通路方向に沿って誘導用ランプを配置し、交差点外の通路部において、誘導ランプを或る一定間隔ａで配置した場合、その通路の交差点内においては、誘導ランプの配置間隔をｃ（ｃ＜ａ）にして設置するものである。
【０００９】
図８は本発明の前提となる構成２の説明図である。図中、直線は誘導路Ｕの交差点の部分を示しており、白丸は誘導ランプＬを示している。この図８に示すように、各通路に、その通路方向に沿って誘導用ランプを配置し、交差点外の通路部において、誘導ランプを或る一定間隔ａで配置した場合、その通路の交差点内においては、誘導ランプの配置間隔をｃ（ｃ＜ａ）にして、各通路に配置した誘導ランプ列の交点から各通路方向へ最低３個以上の誘導ランプを設置するものである。
【００１０】
図９は本発明の前提となる構成３の説明図である。図中、直線は誘導路Ｕの交差点の部分を示しており、白丸と黒丸は誘導ランプＬを示している。黒丸は点灯しているランプ、白丸は消灯しているランプである。また、図中の矢印は誘導方向を示している。この図９のように、各通路に、その通路方向に沿って誘導用ランプを配置してｍ点ｎ滅のパターンで点滅走行させる場合、交差点内においては、各通路に配置した誘導ランプ列の交点から各通路方向へ最低（ｍ＋ｎ）個以上の誘導ランプを設置するものである。ここで、ｍとｎは１より大きい整数である。例えば、１点３滅のパターンで点滅走行させる場合、交差点内では、各通路に配置した誘導ランプ列の交点から各通路方向へ最低４個以上の誘導ランプを設置する。
【００１１】
図１は本発明の第１実施例の説明図である。図中、直線は誘導路Ｕの交差点の部分を示しており、白丸は誘導ランプＬを示している。この図１に示すように、各通路に、その通路方向に沿って誘導用ランプを配置した場合、交差点内の中心に向かって、各通路に配置する誘導ランプの間隔を連続的に狭くするものである。
【００１２】
図２は本発明の第２実施例の説明図である。図中、直線は誘導路Ｕの交差点の部分を示しており、白丸は誘導ランプＬを示している。この図２に示すように、各通路に、その通路方向に沿って誘導用ランプを配置した場合、交差点内の中心に向かって、各通路に配置する誘導ランプの間隔を段階的に狭くするものである。
【００１３】
図３は本発明の第３実施例の説明図である。図中、直線は誘導路Ｕの交差点の部分を示しており、白丸は誘導ランプＬを示している。この図３に示すように、各通路に、その通路方向に沿って誘導用ランプを配置する場合において、誘導ランプを線として配置するのではなく、面的な広がりを有する２次元的な配置とする。そして、交差点内の中心に向かって、各通路に配置する誘導ランプの配置密度を連続的に又は段階的に高くする。例えば、図３の場合には、通路に沿って誘導ランプを複数列配置して、交差点に向かって、その配置密度を高くして行くものである。
【００１４】
図４は本発明の第４実施例の説明図である。図中、直線は誘導路Ｕの交差点の部分を立体的に示しており、白丸と黒丸は誘導ランプＬを示している。黒丸は点灯しているランプ、白丸は消灯しているランプである。この図４のように、各通路に、その通路方向に沿って誘導用ランプを配置する場合において、誘導ランプを線や平面的な広がりとして配置するのではなく、空間的な広がりを有する３次元的な配置とする。そして、交差点内の中心に向かって、各通路に配置する誘導ランプの配置密度を連続的に又は段階的に高くする。例えば、図４の場合には、通路に沿って誘導ランプを複数列天井面から吊り下げ配置して、交差点に向かって、その配置密度を高くして行くものである。
【００１５】
【発明の効果】
請求項１の発明によれば、光の点滅走行動作により人を所望の方向へ誘導するために各通路に配置された誘導装置部と、装置全体の制御を行う主制御部と、主制御部に接続されて設定入力を行うための設定部とから構成される照明誘導装置であって、誘導路の分岐点内においては、通路方向に沿った誘導装置の配置間隔を一般通路部での配置間隔よりも狭くしたので、分岐点内において、その通路幅が狭い場合や、また、一般通路部での誘導ランプの配置間隔が極端に大きい場合、さらに、その誘導ランプの点滅走行速度が極端に速い場合や、特殊な点滅走行パターンである場合においても、その分岐点において、どちらの方向へ誘導しているのかを誘導される人に正しく認識させることができる。また、分岐点に向かって段階的又は連続的に配置間隔を狭くしたので、誘導されている人に一般通路部から分岐点に入ることを段階的又は連続的に知らせることができる。これらの効果を有することで、請求項１の発明によれば、光の点滅走行を利用した照明誘導装置において、十字路やＴ字路などのように、誘導路の合流や分流する箇所における誘導方向の視認性を向上させることができる。
【００１６】
請求項２の照明誘導装置では、分岐点内における誘導装置の配置を各通路方向に沿って少なくとも３個以上設置したので、分岐点内における誘導装置が１個や２個の場合に比べると、点滅走行動作の方向を容易に認識することができる。
【００１７】
請求項３の照明誘導装置では、点滅走行パターンがｍ点ｎ滅の場合には、分岐点内における誘導装置の配置を各通路方向に沿って少なくとも（ｍ＋ｎ）個以上設置したので、ｍ点ｎ滅の点滅走行パターンを確実に認識することができる。
【００１８】
請求項４の照明誘導装置では、配置される誘導装置を通路に２次元配置して分岐点に向かって配置の密度を高くしたので、１次元的な配置に比べると、誘導効果が高くなる。
【００１９】
請求項５の照明誘導装置では、配置される誘導装置を通路に３次元配置して分岐点に向かって配置の密度を高くしたので、１次元的な配置や２次元的な配置に比べると、誘導効果が高くなる。
【図面の簡単な説明】
【図１】  本発明の第１実施例の平面図である。
【図２】  本発明の第２実施例の平面図である。
【図３】  本発明の第３実施例の平面図である。
【図４】  本発明の第４実施例の平面図である。
【図５】  本発明の照明誘導装置のブロック図である。
【図６】  本発明の照明誘導装置の前提となる基本構成を示す平面図である。
【図７】  本発明の前提となる構成１の平面図である。
【図８】  本発明の前提となる構成２の平面図である。
【図９】  本発明の前提となる構成３の平面図である。
【図１０】  第１の従来例の平面図である。
【図１１】  第２の従来例の平面図である。
【図１２】  第３の従来例の平面図である。
【符号の説明】
１    誘導装置部
２    主制御部
３    設定部
【図１】
0003901225.tif 000002
【図２】
0003901225.tif 000003
【図３】
0003901225.tif 000004
【図４】
0003901225.tif 000005
【図５】
0003901225.tif 000006
【図６】
0003901225.tif 000007
【図７】
0003901225.tif 000008
【図８】
0003901225.tif 000009
【図９】
0003901225.tif 000010
【図１０】
0003901225.tif 000011
【図１１】
0003901225.tif 000012
【図１２】
0003901225.tif 000013